(57)【要約】【課題】ユーザーの利便性を向上させることが可能な表示入力装置を提供する。【解決手段】この表示入力装置では、液晶表示部１２は、プログラムキーＰＫの表示位置において、２点がタッチされた状態で２点の間隔を広げる操作をタッチパネル部１１が受け付けた場合、プログラムキーＰＫの表示領域を拡大し、プログラムキーＰＫの表示領域内に、プログラムキーＰＫに対応するプログラムに定義された機能の機能名および設定値の少なくとも一方を表す機能情報画像Ｃを表示する。【選択図】図１０
2013222298.tif 000002
【特許請求の範囲】
【請求項１】
複数種の機能のうちの選択された１つ以上の機能が設定値と共に定義されたデータを含み、データに定義された設定状態に表示入力装置をセットするための予め登録されたプログラムを記憶する記憶部と、
前記記憶部に記憶されたプログラムの呼出し指示を受け付けるためのプログラムキーを配したプログラム選択画面を表示する表示部と、
前記表示部に対して設けられ、ユーザーがタッチしている複数のタッチ位置を検知するためのタッチパネル部と、を備え、
前記表示部は、前記プログラムキーの表示位置において、２点がタッチされた状態で２点の間隔を広げる操作を前記タッチパネル部が受け付けた場合、前記プログラムキーの表示領域を拡大し、前記プログラムキーの表示領域内に、前記プログラムキーに対応するプログラムに定義された機能の機能名および設定値の少なくとも一方を表す機能情報を表示することを特徴とする表示入力装置。
【請求項２】
前記プログラムキーの表示領域内の前記機能情報を前記プログラムキーの表示領域外に移動させるための操作を前記タッチパネル部が受け付けた場合、前記記憶部は、前記プログラムキーに対応するプログラムを、現時点で前記プログラムキーの表示領域内に存在する前記機能情報に対応する機能が定義されたプログラムに書き換えることを特徴とする請求項１に記載の表示入力装置。
【請求項３】
前記表示部は、前記プログラムキーの表示領域を拡大したとき、前記プログラムキーの表示領域外に、前記プログラムキーに対応するプログラムに定義されていない機能の機能名および設定値の少なくとも一方を表す機能情報を表示することを特徴とする請求項１または２に記載の表示入力装置。
【請求項４】
前記プログラムキーの表示領域外の前記機能情報を前記プログラムキーの表示領域内に移動させるための操作を前記タッチパネル部が受け付けた場合、前記記憶部は、前記プログラムキーに対応するプログラムを、現時点で前記プログラムキーの表示領域内に存在する前記機能情報に対応する機能が定義されたプログラムに書き換えることを特徴とする請求項３に記載の表示入力装置。
【請求項５】
前記表示部は、前記プログラムキーの表示領域を拡大した後に、前記プログラムキーの表示位置において、２点がタッチされた状態で２点の間隔を狭める操作を前記タッチパネル部が受け付けた場合、前記プログラムキーの表示領域のサイズを元のサイズに戻し、前記機能情報を非表示にすることを特徴とする請求項１〜４のいずれかに記載の表示入力装置。
【請求項６】
前記表示部は、前記プログラムキーの表示領域を拡大するとき、前記プログラムキーの表示領域外の表示領域の明るさを、前記プログラムキーの表示領域の明るさよりも暗くすることを特徴とする請求項１〜５のいずれかに記載の表示入力装置。
【請求項７】
前記表示部は、前記プログラムキーの表示領域を拡大した後に、前記プログラムキーの表示位置において、２点がタッチされた状態で２点の間隔を狭める操作を前記タッチパネル部が受け付けた場合、前記プログラムキーの表示領域外の暗くした表示領域の明るさを元の明るさに戻すことを特徴とする請求項６に記載の表示入力装置。
【請求項８】
前記表示部は、前記プログラムキーの表示位置において、２点がタッチされた状態で２点の間隔を広げる操作を前記タッチパネル部が受け付けた場合、前記タッチパネル部に対するタッチ位置である２点の間隔が広げられた方向に、前記プログラムキーの表示領域を拡大することを特徴とする請求項１〜７のいずれかに記載の表示入力装置。
【請求項９】
請求項１〜８のいずれかに記載の表示入力装置を備えた画像形成装置。
【発明の詳細な説明】
【技術分野】
【０００１】
本発明は、表示入力装置および画像形成装置に関する。
【背景技術】
【０００２】
従来、設定値の変更が可能な複数種の機能（たとえば、縮小印刷、拡大印刷、両面印刷および集約印刷など）が搭載された画像形成装置が知られている。このような画像形成装置には、通常、複数種の機能のうち使用する機能の選択指示、および、選択された機能の設定値の変更指示を受け付けるための表示入力装置が設けられる。
【０００３】
また、従来では、プログラム機能を搭載した画像形成装置も知られている。プログラム機能というのは、複数種の機能のうち、ユーザーによって予め選択された１つ以上の機能（設定値）をプログラムとして登録しておく機能である。これにより、ユーザーからすると、プログラムを呼び出すための操作を行うだけで、自身の所望する機能が設定された状態になるので、利便性が良い。
【０００４】
たとえば、ユーザーは、プログラムを呼び出すとき、呼び出すプログラムを選択するための選択画面を表示入力装置に表示させる。このとき、表示入力装置は、登録されたプログラムに対応するプログラムキー（ソフトキー）を表示する。そして、このプログラムキーをユーザーが押下することによって、押下したプログラムキーに対応するプログラムが呼び出される（たとえば、特許文献１参照）。
【先行技術文献】
【特許文献】
【０００５】
【特許文献１】特開２００７−６８００９号公報
【発明の概要】
【発明が解決しようとする課題】
【０００６】
ところで、ユーザーによっては、登録したプログラムの内容（登録した機能（設定値）の内容）を確認したい場合がある。このため、特許文献１では、呼び出すプログラムの選択指示を受け付けるための選択画面内に、登録されたプログラムの内容の表示指示を受け付けるための確認キーが配される。そして、表示入力装置は、確認キーがユーザーによって押下されると、表示画面を選択画面から確認画面に遷移し、確認画面内に登録内容を表示する。これにより、ユーザーは、登録内容を確認することができる。
【０００７】
しかし、ユーザーからすると、登録内容の確認に際して表示画面が選択画面から確認画面に遷移してしまうと、プログラムの呼出しを行う際に表示画面を選択画面に戻さなければならないので、煩わしく利便性が悪い。また、装置の扱いに不慣れなユーザーにとっては、確認キーの位置そのものが分からない場合もある。この場合には、確認キーを探さなければならないので、ユーザーにとっては利便性が悪い。
【０００８】
本発明は、上記の課題を解決するためになされたものであり、プログラムの内容確認を容易化することでユーザーの利便性を向上させることが可能な表示入力装置および画像形成装置を提供することを目的とする。
【課題を解決するための手段】
【０００９】
上記の目的を達成するために、本発明の表示入力装置は、複数種の機能のうちの選択された１つ以上の機能が設定値と共に定義されたデータを含み、データに定義された設定状態に表示入力装置をセットするための予め登録されたプログラムを記憶する記憶部と、記憶部に記憶されたプログラムの呼出し指示を受け付けるためのプログラムキーを配したプログラム選択画面を表示する表示部と、表示部に対して設けられ、ユーザーがタッチしている複数のタッチ位置を検知するためのタッチパネル部と、を備えている。そして、表示部は、プログラムキーの表示位置において、２点がタッチされた状態で２点の間隔を広げる操作をタッチパネル部が受け付けた場合、プログラムキーの表示領域を拡大し、プログラムキーの表示領域内に、プログラムキーに対応するプログラムに定義された機能の機能名および設定値の少なくとも一方を表す機能情報を表示する。
【００１０】
本発明の構成では、上記のように、表示部は、プログラムキーの表示位置において、２点がタッチされた状態で２点の間隔を広げる操作をタッチパネル部が受け付けた場合、プログラムキーの表示領域を拡大し、プログラムキーの表示領域内に、プログラムキーに対応するプログラムに定義された機能の機能名および設定値の少なくとも一方を表す機能情報を表示する。これにより、ユーザーからすると、プログラム選択画面の表示時に登録済みのプログラムに定義された機能や機能の設定値を確認したいとき、プログラムキーの表示位置においてタッチパネル部に対してタッチした２点の間隔を広げる操作を行うだけで登録内容を確認することができ、利便性が良い。また、プログラム選択画面から登録内容確認画面に遷移させる必要がないので、登録内容を速やかに確認する（登録内容確認画面に遷移させるためのキーを探す手間を省く）ことができ、利便性が良い。これらの結果、本発明の構成では、ユーザーによる登録内容の確認作業の利便性が向上する。
【００１１】
また、本発明の構成では、表示部は、プログラムキーの表示領域内に機能情報を表示するとき、プログラムキーの表示領域を拡大する。これにより、ユーザーが数多くの機能を登録していたとしても、それら数多くの機能のそれぞれの機能名および設定値の少なくとも一方を表す複数の機能情報をまとめてプログラムキーの表示領域内に表示することができる。このため、ユーザーによる登録内容の確認作業の利便性がより向上する。
【００１２】
上記の構成において、好ましくは、プログラムキーの表示領域内の機能情報をプログラムキーの表示領域外に移動させるための操作をタッチパネル部が受け付けた場合、記憶部は、プログラムキーに対応するプログラムを、現時点でプログラムキーの表示領域内に存在する機能情報に対応する機能が定義されたプログラムに書き換える。これにより、ユーザーからすると、プログラムを編集したい（登録済みの機能を削除したい）とき、プログラムキーの表示領域内の機能情報をプログラムキーの表示領域外に移動させる操作（たとえば、ドラッグアンドドロップ操作）をタッチパネル部に対して行うだけでプログラムを編集することができ、利便性が良い。また、プログラム選択画面からプログラム編集画面に遷移させる必要がないので、プログラムを速やかに編集する（プログラム編集画面に遷移させるためのキーを探す手間を省く）ことができ、利便性が良い。
【００１３】
上記の構成において、好ましくは、表示部は、プログラムキーの表示領域を拡大したとき、プログラムキーの表示領域外に、プログラムキーに対応するプログラムに定義されていない機能の機能名および設定値の少なくとも一方を表す機能情報を表示する。これにより、ユーザーからすると、未登録の機能も同時に確認することができ、利便性が良い。
【００１４】
この場合、好ましくは、プログラムキーの表示領域外の機能情報をプログラムキーの表示領域内に移動させるための操作をタッチパネル部が受け付けた場合、記憶部は、プログラムキーに対応するプログラムを、現時点でプログラムキーの表示領域内に存在する機能情報に対応する機能が定義されたプログラムに書き換える。これにより、ユーザーからすると、プログラムを編集したい（未登録の機能を追加登録したい）とき、プログラムキーの表示領域外の機能情報をプログラムキーの表示領域内に移動させる操作（たとえば、ドラッグアンドドロップ操作）をタッチパネル部に対して行うだけでプログラムを編集することができ、利便性が良い。また、プログラム選択画面からプログラム編集画面に遷移させる必要がないので、プログラムを速やかに編集する（プログラム編集画面に遷移させるためのキーを探す手間を省く）ことができ、利便性が良い。
【００１５】
上記の構成において、好ましくは、表示部は、プログラムキーの表示領域を拡大した後に、プログラムキーの表示位置において、２点がタッチされた状態で２点の間隔を狭める操作をタッチパネル部が受け付けた場合、プログラムキーの表示領域のサイズを元のサイズに戻し、機能情報を非表示にする。これにより、ユーザーからすると、容易に、プログラム選択画面を元の状態（登録済みのプログラムを呼び出せる状態）に戻すことができるので、利便性が良い。
【００１６】
上記の構成において、好ましくは、表示部は、プログラムキーの表示領域を拡大するとき、プログラムキーの表示領域外の表示領域の明るさを、プログラムキーの表示領域の明るさよりも暗くする。これにより、ユーザーからすると、登録内容を確認するためのモード（プログラムを編集するためのモード）になったか否かを容易に識別することができ、利便性が良い。
【００１７】
この場合、好ましくは、表示部は、プログラムキーの表示領域を拡大した後に、プログラムキーの表示位置において、２点がタッチされた状態で２点の間隔を狭める操作をタッチパネル部が受け付けた場合、プログラムキーの表示領域外の暗くした表示領域の明るさを元の明るさに戻す。これにより、ユーザーからすると、登録内容を確認するためのモード（プログラムを編集するためのモード）から通常モードに戻ったか否かを容易に識別することができ、利便性が良い。
【００１８】
上記構成において、好ましくは、表示部は、プログラムキーの表示位置において、２点がタッチされた状態で２点の間隔を広げる操作をタッチパネル部が受け付けた場合、タッチパネル部に対するタッチ位置である２点の間隔が広げられた方向に、プログラムキーの表示領域を拡大する。これにより、ユーザーの所望する方向にプログラムキーの表示領域を拡大することができる。
【００１９】
また、本発明の画像形成装置は、上記の表示入力装置を備えている。このような画像形成装置では、ユーザーの利便性を向上させることができる。
【発明の効果】
【００２０】
以上のように、本発明によれば、プログラムの内容確認を容易化することでユーザーの利便性を向上させることが可能な表示入力装置および画像形成装置を容易に得ることができる。
【図面の簡単な説明】
【００２１】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（メインメニュー画面）の一例を示した図
【図５】図１に示した画像形成装置の表示入力装置に表示される画面（設定画面）の一例を示した図
【図６】図１に示した画像形成装置の表示入力装置に表示される画面（設定値入力画面）の一例を示した図
【図７】図１に示した画像形成装置の表示入力装置に表示される画面（プログラム選択画面）の一例を示した図
【図８】図１に示した画像形成装置の表示入力装置に表示される画面（設定画面）の一例を示した図
【図９】図１に示した画像形成装置においてプログラムの内容を確認するときの操作を説明するための図
【図１０】図１に示した画像形成装置においてプログラムの編集時に表示入力装置に表示される画面の一例を示した図
【図１１】図１に示した画像形成装置においてプログラムの編集時に表示入力装置に表示される画面の一例を示した図
【図１２】図１に示した画像形成装置においてプログラムの編集時に表示入力装置に表示される画面の一例を示した図
【図１３】図１に示した画像形成装置においてプログラムの編集時に表示入力装置に表示される画面の一例を示した図
【図１４】図１に示した画像形成装置においてプログラムの編集時に表示入力装置に表示される画面の一例を示した図
【図１５】図１に示した画像形成装置においてプログラムの編集時に表示入力装置に表示される画面の一例を示した図
【図１６】図１に示した画像形成装置においてプログラムの編集時に表示入力装置に表示される画面の一例を示した図
【図１７】図１に示した画像形成装置においてプログラムが編集されるときの動作を説明するためのフローチャート
【発明を実施するための形態】
【００２２】
（画像形成装置の全体構成）
図１に示すように、本実施形態の画像形成装置１００は、操作パネル１０１（「表示入力装置」に相当）、原稿搬送部１０２Ａ、画像読取部１０２Ｂ、給紙部１０３、用紙搬送部１０４、画像形成部１０５、定着部１０６および後処理部１０７などを備える。なお、この画像形成装置１００は、複合機であり、コピー、送信（スキャン）およびファックスなどの複数種のジョブを実行することができる。
【００２３】
操作パネル１０１は、たとえば、装置正面側に配置される。操作パネル１０１は、図２に示すように、表示面上にタッチパネル部１１が設けられた液晶表示部１２（「表示部」に相当）を有する。タッチパネル部１１は、ユーザーがタッチした複数のタッチ位置を同時に検知可能なマルチタッチパネルである。液晶表示部１２は、ユーザーから入力操作（タッチ操作）を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるテンキー１３や、ジョブ実行の開始指示を受け付けるスタートキー１４などが設けられている。
【００２４】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２５】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン動作）によって得られた画像データに基づき印刷を行うことができる。また、スキャン動作によって得られた画像データを蓄積することもできる。
【００２６】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２７】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２８】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００２９】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００３０】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００３１】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷ジョブが完了する。
【００３２】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３３】
（画像形成装置のハードウェア構成）
画像形成装置１００は、図３に示すように、主制御部１１０を備える。主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、ジョブの実行に必要なプログラムおよびデータがＲＯＭに記憶され、それらプログラムおよびデータがＲＡＭに展開される。
【００３４】
主制御部１１０は、原稿搬送部１０２Ａ、画像読取部１０２Ｂ、給紙部１０３、用紙搬送部１０４、画像形成部１０５、定着部１０６および後処理部１０７などと接続される。そして、主制御部１１０は、記憶部１１３に記憶されたプログラムおよびデータに基づき、全体制御、画像処理制御、および、各種回転体を回転させるモーターの駆動制御などを行う。
【００３５】
また、主制御部１１０は、操作パネル１０１の表示動作を制御する表示制御部１５に接続される。表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００３６】
また、主制御部１１０は、通信部１２０と接続される。通信部１２０は、たとえば、外部のコンピューター２００とネットワークを介して通信可能に接続される。これにより、コンピューター２００から送信された画像データに基づき印刷を行うことができ、スキャン動作によって得られた画像データをコンピューター２００に送信することもできる。また、通信部１２０にモデムなどを内蔵してもよく、この場合、電話回線などのネットワークを介して、外部のファックス装置３００とファックス通信を行うことができる。
【００３７】
（操作パネルの表示画面）
操作パネル１０１は、主電源が投入されると、図４に示すようなメインメニュー画面ＭＳを初期画面として表示する。このメインメニュー画面ＭＳには、たとえば、８つのソフトキーＳＫ１〜ＳＫ８が配される。そして、タッチパネル部１１に対するタッチ位置がソフトキーＳＫ１の表示位置である場合、操作パネル１０１は、図５に示すように、コピージョブの設定を受け付けるための設定画面ＳＳ１を表示する。
【００３８】
コピージョブの設定画面ＳＳ１には、コピージョブに関する複数種の機能にそれぞれ対応する複数の機能キーＦＫが配される。図５には、一例として、用紙選択、縮小／拡大、濃度、両面／分割およびページ集約の各機能にそれぞれ対応する複数の機能キーＦＫが配された設定画面ＳＳ１を図示している。複数の機能キーＦＫのそれぞれには、対応する機能の現時点の設定値が表記される。これにより、ユーザーは、複数種の機能のそれぞれの現時点の設定値を認識することができる。なお、図５に示した設定画面ＳＳ１において、用紙選択、縮小／拡大、濃度、両面／分割およびページ集約にそれぞれ対応する複数の機能キーＦＫに表記された各設定値は、デフォルトの設定値である。
【００３９】
また、機能キーＦＫの表示位置がタッチパネル部１１を介してユーザーによってタッチされると、操作パネル１０１は、指定された機能キーＦＫに対応する機能の設定値を変更するための設定値入力画面ＩＳ（図６参照）を表示する。なお、図６には、縮小／拡大の設定値を変更するための設定値入力画面ＩＳを一例として図示している。たとえば、ユーザーは、縮小／拡大の設定値入力画面ＩＳにおいて、プラスキーＫおよびマイナスキーＫのいずれかの表示位置をタッチパネル部１１を介してタッチすることで、印刷倍率を任意に変更して印刷を行うことができる。あるいは、ユーザーは、縮小／拡大の設定値入力画面ＩＳにおいて、倍率（用紙サイズ）が表記されたキーＫの表示位置をタッチパネル部１１を介してタッチすることで、指定したキーＫに表記された印刷倍率で印刷を行うことができる。
【００４０】
図４に戻って、ソフトキーＳＫ２の表示位置がタッチパネル部１１を介してユーザーによってタッチされると、操作パネル１０１は、送信（スキャン）ジョブの設定を受け付けるための設定画面（図示せず）を表示する。また、ソフトキーＳＫ３の表示位置がタッチパネル部１１を介してユーザーによってタッチされると、操作パネル１０１は、ファックスジョブの設定を受け付けるための設定画面（図示せず）を表示する。
【００４１】
また、ソフトキーＳＫ４の表示位置がタッチパネル部１１を介してユーザーによってタッチされると、操作パネル１０１は、ユーザーボックスに格納されたデータ（たとえば、スキャンジョブによって得られた画像データ）に基づく印刷を実行する上で必要な設定を受け付けるための設定画面（図示せず）を表示する。また、ソフトキーＳＫ５の表示位置がタッチパネル部１１を介してユーザーによってタッチされると、操作パネル１０１は、ジョブボックスに格納されたデータ（たとえば、コンピューター２００から送信された画像データ）に基づく印刷を実行する上で必要な設定を受け付けるための設定画面（図示せず）を表示する。また、ソフトキーＳＫ６の表示位置がタッチパネル部１１を介してユーザーによってタッチされると、操作パネル１０１は、ファックス受信ボックスに格納されたデータ（通信部１２０が受信したファックスデータ）に基づく印刷を実行する上で必要な設定を受け付けるための設定画面（図示せず）を表示する。また、ソフトキーＳＫ７の表示位置がタッチパネル部１１を介してユーザーによってタッチされると、操作パネル１０１は、外部メモリー（ＵＳＢ）に格納されたデータに基づく印刷を実行する上で必要な設定を受け付けるための設定画面（図示せず）を表示する。
【００４２】
また、ソフトキーＳＫ８の表示位置がタッチパネル部１１を介してユーザーによってタッチされると、操作パネル１０１は、図７に示すように、登録されたプログラムのうち、呼び出すプログラムの選択指示を受け付けるためのプログラム選択画面ＰＳを表示する。なお、プログラム選択画面ＰＳについては、後に詳細に説明する。
【００４３】
（登録されたプログラムの呼出し）
本実施形態では、ユーザーは、複数種の機能のうち頻繁に使用する機能（たとえば、デフォルトの設定値とは異なる設定値に変更して使用する機能）を選択し、選択した機能を設定値と共に予め登録することができる。そして、記憶部１６は、ユーザーによって登録された設定状態に操作パネル１０１をセットするためのプログラムを記憶（登録）する。すなわち、記憶部１６は、複数種の機能のうちのユーザーによって選択された１つ以上の機能を設定値と共に定義したデータを含むプログラムを記憶（登録）する。これにより、ユーザーからすると、自身が登録したプログラムを呼び出す操作を行うだけで、所望の機能（設定値）に操作パネル１０１がセットされた状態になり、利便性が良い。
【００４４】
このようなプログラムが記憶部１６に記憶されている場合、メインメニュー画面ＭＳ（図４参照）において、ソフトキーＳＫ８の表示位置がタッチパネル部１１を介してユーザーによってタッチされると、表示制御部１５は、図７に示すようなプログラム選択画面ＰＳを液晶表示部１２に表示させる。
【００４５】
プログラム選択画面ＰＳには、登録されたプログラムに対応するプログラムキーＰＫ（記憶部１６に記憶されたプログラムの呼出し指示を受け付けるためのプログラムキーＰＫ）が配される。なお、プログラムが複数登録されていれば、複数のプログラムにそれぞれ対応する複数のプログラムキーＰＫがプログラム選択画面ＰＳに配される。そして、表示制御部１５は、プログラムキーＰＫの表示位置がタッチパネル部１１を介してユーザーによってタッチされると、指定されたプログラムキーＰＫに対応するプログラムを記憶部１６から呼び出す。
【００４６】
たとえば、所定のユーザーによって、コピージョブに関する機能である両面／分割およびページ集約の各設定値がデフォルト値（図５に示した値）から変更され、登録されたとする。たとえば、両面／分割の設定値が「片面→片面」から「片面→両面」に変更され、ページ集約の設定値が「設定しない」から「２ｉｎ１」に変更されたとする。さらに、所定のユーザーによって登録されたプログラムに対応するプログラムキーＰＫが「プログラム６」と表記されたプログラムキーＰＫであったとする。この場合、所定のユーザーは、自身が登録したプログラムを呼び出すとき、プログラム選択画面ＰＳにおいて「プログラム６」と表記されたプログラムキーＰＫの表示位置をタッチパネル部１１を介してタッチする。
【００４７】
このとき、表示制御部１５は、タッチパネル部１１の出力に基づき、「プログラム６」と表記されたプログラムキーＰＫが指定されたことを検知する。そして、表示制御部１５は、指定されたプログラムキーＰＫに対応するプログラムに基づく設定画面ＳＳ２（図８参照）を表示する。
【００４８】
この設定画面ＳＳ２には、図８に示すように、図５に示した設定画面ＳＳ１と同様、用紙選択、縮小／拡大、濃度、両面／分割およびページ集約の各機能にそれぞれ対応する複数の機能キーＦＫが配される。ただし、用紙選択、縮小／拡大および濃度にそれぞれ対応する各機能キーＦＫに表記された設定値はデフォルト値のままであるのに対して、両面／分割およびページ集約にそれぞれ対応する各機能キーＦＫに表記された設定値はデフォルト値から変更される。すなわち、両面／分割の設定値が「片面→両面」にセットされ、ページ集約の設定値が「２ｉｎ１」にセットされた状態となる。これにより、ユーザーは、両面／分割およびページ集約の各設定値を変更するための操作を行うことなく、所望の設定状態でコピージョブを実行することができる。
【００４９】
（登録されたプログラムの編集）
本実施形態では、ユーザーは、プログラム選択画面ＰＳが操作パネル１０１に表示されたまま、従前に登録したプログラムを編集することができる。すなわち、ユーザーからすると、表示画面をプログラム選択画面ＰＳから他の画面に遷移させることなく、プログラムの編集を開始することができるので、利便性が良い。
【００５０】
プログラムの編集を行うユーザーは、図９に示すように、まず、プログラム選択画面ＰＳを操作パネル１０１に表示させる。そして、ユーザーは、編集したいプログラムに対応するプログラムキーＰＫの表示位置の２点をタッチパネル部１１を介してタッチし、そのまま２点の間隔を広げる操作を行う。なお、以下の説明では、便宜上、ユーザーがタッチパネル部１１を介して２点タッチしたプログラムキーＰＫを指定プログラムキーＰＫと称し、指定プログラムキーＰＫに対応するプログラムを指定プログラムと称する。
【００５１】
表示制御部１５は、タッチパネル部１１の出力に基づき、指定プログラムキーＰＫの表示位置において、タッチパネル部１１の２点がタッチされた状態で２点の間隔が広げられたことを検知する。この検知により、表示制御部１５は、液晶表示部１２の表示動作を制御し、指定プログラムキーＰＫの表示領域を拡大させる。たとえば、液晶表示部１２は、図９中の矢印Ａ方向（画面縦方向）にタッチされた２点の間隔が広げられた場合には、図１０に示すように、画面縦方向に指定プログラムキーＰＫの表示領域を拡大させる。その一方、液晶表示部１２は、図９中の矢印Ｂ方向（画面横方向）にタッチされた２点の間隔が広げられた場合には、図１１に示すように、画面横方向に指定プログラムキーＰＫの表示領域を拡大させる。以下、一例として、指定プログラムキーＰＫの表示領域を画面縦方向に拡大した（図１０に示した状態にした）ものとして説明する。
【００５２】
また、液晶表示部１２は、指定プログラムキーＰＫの表示領域内に、指定プログラムに定義された機能の機能名および設定値の少なくとも一方を表す機能情報画像Ｃ（「機能情報」に相当）を機能単位で表示する。たとえば、指定プログラムに定義された機能が複数存在すれば、それら複数の機能のそれぞれの機能名および設定値の少なくとも一方を表す複数の機能情報画像Ｃが指定プログラムキーＰＫの表示領域内に表示される。
【００５３】
なお、以下の説明やその説明で参照する図面では、機能名および設定値の両方を機能情報画像Ｃに表記する場合を例にとる。ただし、設定値の表記だけで対応する機能が判別可能である場合もある（設定値そのものが機能を表す場合もある）。たとえば、「Ａ３→Ａ４」や「１２２％」という設定値は「縮小／拡大」を表し、「４ｉｎ１」や「２ｉｎ１」という設定値は「ページ集約」を表すことは明らかである。したがって、機能名を機能情報画像Ｃに表記するのは必須ではない。たとえば、「ページ集約」であれば、「４ｉｎ１」や「２ｉｎ１」という設定値だけを機能情報画像Ｃに表記してもよい。一方で、白黒反転印刷（画像の白と黒を反転して印刷する機能）や鏡像印刷（原稿を鏡に映したように印刷する機能）などについては、「設定する」および「設定しない」の２つが設定値に相当する。この場合、たとえば、「白黒反転」や「鏡像」という機能名だけが表記された機能情報画像Ｃに対応する設定値を「設定する」と定めておけば、設定値を表記する必要はない。
【００５４】
ここで、たとえば、指定プログラムに定義された機能が両面／分割（設定値は「片面→両面」）およびページ集約（設定値は「２ｉｎ１」）であったとする。この場合、液晶表示部１２は、指定プログラムキーＰＫの表示領域内に、「両面／分割」という機能名および「片面→両面」という設定値を表記した機能情報画像Ｃを表示するとともに、「ページ集約」という機能名および「２ｉｎ１」という設定値を表記した機能情報画像Ｃを表示する。
【００５５】
また、液晶表示部１２は、指定プログラムキーＰＫの表示領域外に、指定プログラムに定義されていない機能の機能名および設定値の少なくとも一方を表す機能情報画像Ｃ（「機能情報」に相当）を表示する。一例として、図１０（図１１）には、ステープル、パンチ、仕分け、ページ集約、両面／分割、縮小／拡大、および、とじしろ、の各機能に対応する複数の機能情報画像Ｃを図示している。
【００５６】
ところで、登録可能な機能（設定値）は数多くあるので、登録されていない残りの機能（設定値）に対応する機能情報画像Ｃを画面内に収めきれない場合がある。したがって、指定プログラムキーＰＫの表示領域外に表示する機能情報画像Ｃをユーザーが予め設定できるようになっていてもよい。あるいは、ユーザーの操作によって、指定プログラムキーＰＫの表示領域外に表示する機能情報画像Ｃを切り替えてもよい。
【００５７】
たとえば、表示制御部１５は、指定プログラムキーＰＫの表示領域外において指を払うようなタッチ操作がタッチパネル部１１に対して行われたことを検知したとき、指定プログラムキーＰＫの表示領域外に表示する機能情報画像Ｃの切り替えを液晶表示部１２に行わせる。あるいは、図１０に示すように、画面内に切替キーＣＫを配してもよい。この場合、表示制御部１５は、切替キーＣＫの表示位置に対するタッチ操作をタッチパネル部１１が受け付けたとき、指定プログラムキーＰＫの表示領域外に表示する機能情報画像Ｃの切り替えを液晶表示部１２に行わせる。
【００５８】
また、液晶表示部１２は、指定プログラムキーＰＫの表示領域を拡大するとき、指定プログラムＰＫの表示領域外の表示領域の明るさを、指定プログラムキーＰＫの表示領域の明るさよりも暗くする。
【００５９】
このようにして、表示制御部１５は、液晶表示部１２がプログラム選択画面ＰＳを表示したまま、指定プログラムの編集を受け付けるためのプログラム編集モードに移行する。なお、プログラム編集モードでは、プログラムの呼出しを受け付けない。
【００６０】
次に、ユーザーは、未登録の機能を追加登録したい場合には、図１２および図１３に示すように、タッチパネル部１１に対してドラッグアンドドロップ操作を行うことにより、追加登録したい機能の機能名および設定値の少なくとも一方を表す機能情報画像Ｃを指定プログラムキーＰＫの表示領域外から表示領域内に移動させる。一例として、図１２および図１３には、「縮小／拡大（Ａ３→Ａ４）」を追加登録する場合を図示している。
【００６１】
また、ユーザーは、登録済みの機能を削除した場合には、図１４および図１５に示すように、タッチパネル部１１に対してドラッグアンドドロップ操作を行うことにより、削除したい機能の機能名および設定値の少なくとも一方を表す機能情報画像Ｃを指定プログラムキーＰＫの表示領域内から表示領域外に移動させる。一例として、図１４および図１５には、「ページ集約（２ｉｎ１）」を削除する場合を図示している。
【００６２】
なお、機能情報画像Ｃの表示位置においてクリック操作がユーザーによって行われた場合、クリック位置に表示していた機能情報画像Ｃに対応する機能の詳細設定を受け付けるための画面を表示してもよい。この場合、たとえば、縮小／拡大に対応する機能情報画像Ｃの表示位置においてクリック操作をユーザーが行えば、図６に示したような設定値入力画面ＩＳが表示される。これにより、ユーザーは、縮小率（拡大率）を所望の倍率に変更した上で、縮小／拡大を追加登録することができる。なお、このようにして設定値が変更された場合、表示制御部１５は、変更後の設定値を表記した機能情報画像Ｃを液晶表示部１２に表示させる。
【００６３】
プログラムの編集操作がユーザーによって行われると、表示制御部１５は、従前の指定プログラムに代えて、現時点で指定プログラムキーＰＫの表示領域内に存在する機能情報画像Ｃに対応する機能（設定値）が定義されたプログラムを記憶部１６に記憶（書き換え）させる。
【００６４】
次に、プログラムの編集を終えたユーザーは、図１６に示すように、指定プログラムキーＰＫの表示位置の２点をタッチパネル部１１を介してタッチし、そのまま２点の間隔を狭める操作を行う。
【００６５】
そして、表示制御部１５は、タッチパネル部１１の出力に基づき、指定プログラムキーＰＫの表示位置において、タッチパネル部１１の２点がタッチされた状態で２点の間隔が狭められたことを検知する。この検知を受け、液晶表示部１２は、指定プログラムキーＰＫの表示領域のサイズを元のサイズに戻す。さらに、液晶表示部１２は、指定プログラムキーＰＫの表示領域外の暗くした表示領域の明るさを元の明るさに戻す。これにより、プログラム選択画面ＰＳが元の状態に戻る。すなわち、プログラム編集モードが解除された状態となる（プログラムの呼出しが可能な状態となる）。
【００６６】
（登録されたプログラムを編集するときの流れ）
以下に、図１７に示すフローチャートに沿って、登録されたプログラムを編集するときの流れについて説明する。
【００６７】
まず、図１７のフローチャートのスタート時点では、ユーザーによって予め登録されたプログラムが記憶部１６に記憶されているとする。そして、メインメニュー画面ＭＳ（図４参照）において、ソフトキーＳＫ８（図７に示したプログラム選択画面ＰＳに遷移するためのキー）の表示位置がタッチパネル部１１を介してユーザーによってタッチされたとき、図１７のフローチャートがスタートする。
【００６８】
ステップＳ１において、表示制御部１５は、プログラムキーＰＫを配したプログラム選択画面ＰＳを液晶表示部１２に表示させる。ステップＳ２において、表示制御部１５は、タッチパネル部１１の出力に基づき、プログラムキーＰＫの表示位置においてタッチパネル部１１に対するタッチ操作が行われたか否かを判断する。判断の結果、プログラムキーＰＫの表示位置においてタッチパネル部１１に対するタッチ操作が行われていれば、ステップＳ３に移行し、プログラムキーＰＫの表示位置においてタッチパネル部１１に対するタッチ操作が行われていなければ、ステップＳ２の判断を繰り返す。
【００６９】
ステップＳ３に移行すると、表示制御部１５は、プログラムキーＰＫの表示位置におけるタッチパネル部１１に対するタッチ操作が１点タッチであるか否かを判断する。判断の結果、タッチパネル部１１に対するタッチ操作が１点タッチであれば、ステップＳ４に移行する。そして、表示制御部１５は、タッチパネル部１１を介してタッチされたプログラムキーＰＫに対応するプログラムに定義された機能や設定値を表示する（たとえば、図８に示したような設定画面ＳＳ２を表示する）。すなわち、ユーザーが登録したプログラムで定義された機能や設定値が操作パネル１０１にセットされた状態となる。
【００７０】
一方で、ステップＳ３において、プログラムキーＰＫの表示位置におけるタッチパネル部１１に対するタッチ操作が１点タッチでなかった場合には、ステップＳ５に移行する。ステップＳ５に移行すると、表示制御部１５は、タッチパネル部１１の出力に基づき、プログラムキーＰＫの表示位置においてタッチパネル部１１の２点がタッチされた状態で２点の間隔を広げる操作が行われたか否かを判断する。判断の結果、プログラムキーＰＫの表示位置においてタッチパネル部１１の２点がタッチされた状態で２点の間隔を広げる操作が行われていれば、ステップＳ６に移行する。以下、タッチパネル部１１を介して２点タッチされたプログラムキーＰＫを指定プログラムキーＰＫと称し、指定プログラムキーＰＫに対応するプログラムを指定プログラムと称する。
【００７１】
なお、ステップＳ５において、タッチパネル部１１の２点がタッチされた状態で２点の間隔を広げる操作が行われていない場合には、ステップＳ２に移行する。たとえば、表示制御部１５は、タッチパネル部１１の２点がタッチされた後、予め定められた時間が経過する前に２点タッチが解除されれば、タッチされた２点の間隔を広げる操作が行われていないと判断する。
【００７２】
ステップＳ５からステップＳ６に移行すると、表示制御部１５は、プログラム編集モードに切り替える。すなわち、液晶表示部１２は、指定プログラムキーＰＫの表示領域を拡大する。また、液晶表示部１２は、指定プログラムキーＰＫの表示領域内に、指定プログラムに定義された機能の機能名および設定値の少なくとも一方を表す機能情報画像Ｃを表示し、指定プログラムキーＰＫの表示領域外に、指定プログラムに定義されていない機能の機能名および設定値の少なくとも一方を表す機能情報画像Ｃを表示する。さらに、液晶表示部１２は、指定プログラムＰＫの表示領域以外の表示領域の明るさを、指定プログラムキーＰＫの表示領域の明るさよりも暗くする。
【００７３】
ステップＳ７において、表示制御部１５は、タッチパネル部１１の出力に基づき、指定プログラムの編集操作が行われたか否かを判断する。すなわち、表示制御部１５は、タッチパネル部１１に対するドラッグアンドドロップ操作が行われたことにより、指定プログラムキーＰＫの表示領域内の機能情報画像Ｃが指定プログラムキーＰＫの表示領域外に移動されたか否か（指定プログラムキーＰＫの表示領域外の機能情報画像Ｃが指定プログラムキーＰＫの表示領域内に移動されたか否か）を判断する。判断の結果、指定プログラムの編集操作が行われていれば、ステップＳ８に移行する。
【００７４】
ステップＳ８に移行すると、表示制御部１５は、従前の指定プログラムに代えて、現時点で指定プログラムキーＰＫの表示領域内に存在する機能情報画像Ｃに対応する機能が定義されたプログラムを記憶部１６に記憶（書き換え）させる。その後、ステップＳ９に移行する。なお、ステップＳ７において、指定プログラムの編集操作が行われていない場合にも、ステップＳ９に移行する。
【００７５】
ステップＳ９において、表示制御部１５は、タッチパネル部１１の出力に基づき、指定プログラムキーＰＫの表示位置においてタッチパネル部１１の２点がタッチされた状態で２点の間隔を狭める操作が行われたか否かを判断する。判断の結果、指定プログラムキーＰＫの表示位置においてタッチパネル部１１の２点がタッチされた状態で２点の間隔を狭める操作が行われていれば、ステップＳ１０に移行する。一方で、指定プログラムキーＰＫの表示位置においてタッチパネル部１１の２点がタッチされた状態で２点の間隔を狭める操作が行われていない場合には、ステップＳ７に移行する。
【００７６】
ステップＳ１０に移行すると、表示制御部１５は、プログラム編集モードを解除して通常モードに切り替える。すなわち、液晶表示部１２は、指定プログラムキーＰＫの表示領域のサイズを元のサイズに戻す。また、液晶表示部１２は、指定プログラムキーＰＫの表示領域内および表示領域外にそれぞれ表示した機能情報画像Ｃを非表示にする。さらに、液晶表示部１２は、指定プログラムキーＰＫの表示領域外の表示領域の明るさを元の明るさに戻す。この後、ステップＳ２に移行する。
【００７７】
本実施形態では、上記のように、液晶表示部１２（表示部）は、プログラムキーＰＫの表示位置において、２点がタッチされた状態で２点の間隔を広げる操作をタッチパネル部１１が受けた場合、プログラムキーＰＫの表示領域内に、プログラムキーＰＫに対応するプログラムに定義された機能の機能名および設定値の少なくとも一方を表す機能情報画像Ｃ（機能情報）を表示する。これにより、ユーザーからすると、プログラム選択画面ＰＳの表示時に登録済みのプログラムに定義された機能や設定値を確認したいとき、プログラムキーＰＫの表示位置においてタッチパネル部１１に対してタッチした２点の間隔を広げる操作を行うだけで登録内容を確認することができ、利便性が良い。また、プログラム選択画面ＰＳから登録内容確認画面に遷移させる必要がないので、登録内容を速やかに確認する（登録内容確認画面に遷移させるためのキーを探す手間を省く）ことができ、利便性が良い。これらの結果、ユーザーによる登録内容の確認作業の利便性が向上する。
【００７８】
また、本実施形態では、上記のように、液晶表示部１２は、プログラムキーＰＫの表示領域内に機能情報画像Ｃを表示するとき、プログラムキーＰＫの表示領域を拡大する。これにより、ユーザーが数多くの機能を登録していたとしても、それら数多くの機能のそれぞれの機能名および設定値の少なくとも一方を表す機能情報画像ＣをまとめてプログラムキーＰＫの表示領域内に表示することができる。このため、ユーザーによる登録内容の確認作業の利便性がより向上する。
【００７９】
また、本実施形態では、上記のように、プログラムキーＰＫの表示領域内の機能情報画像ＣをプログラムキーＰＫの表示領域外に移動させるためのドラッグアンドドロップ操作をタッチパネル部１１が受けた場合、記憶部１６は、プログラムキーＰＫに対応するプログラムを、現時点でプログラムキーＰＫの表示領域内に存在する機能情報画像Ｃに対応する機能が定義されたプログラムに書き換える。これにより、ユーザーからすると、プログラムを編集したい（登録済みの機能を削除したい）とき、タッチパネル部１１に対してドラッグアンドドロップ操作を行う（プログラムキーＰＫの表示領域内の機能情報画像ＣをプログラムキーＰＫの表示領域外に移動させる）だけでプログラムを編集することができ、利便性が良い。また、プログラム選択画面ＰＳからプログラム編集画面に遷移させる必要がないので、プログラムを速やかに編集する（プログラム編集画面に遷移させるためのキーを探す手間を省く）ことができ、利便性が良い。
【００８０】
また、本実施形態では、上記のように、液晶表示部１２は、プログラムキーＰＫの表示領域を拡大したとき、プログラムキーＰＫの表示領域外に、プログラムキーＰＫに対応するプログラムに定義されていない機能の機能名および設定値の少なくとも一方を表す機能情報画像Ｃを表示する。これにより、ユーザーからすると、未登録の機能も同時に確認することができるので、利便性が良い。
【００８１】
また、本実施形態では、上記のように、プログラムキーＰＫの表示領域外の機能情報画像ＣをプログラムキーＰＫの表示領域内に移動させるためのドラッグアンドドロップ操作をタッチパネル部１１が受けた場合、記憶部１６は、プログラムキーＰＫに対応するプログラムを、現時点でプログラムキーＰＫの表示領域内に存在する機能情報画像Ｃに対応する機能が定義されたプログラムに書き換える。これにより、ユーザーからすると、プログラムを編集したい（未登録の機能を追加登録したい）とき、タッチパネル部１１に対してドラッグアンドドロップ操作を行う（プログラムキーＰＫの表示領域外の機能情報画像ＣをプログラムキーＰＫの表示領域内に移動させる）だけでプログラムを編集することができ、利便性が良い。また、プログラム選択画面ＰＳからプログラム編集画面に遷移させる必要がないので、プログラムを速やかに編集する（プログラム編集画面に遷移させるためのキーを探す手間を省く）ことができ、利便性が良い。
【００８２】
また、本実施形態では、上記のように、液晶表示部１２は、プログラムキーＰＫの表示領域を拡大した後に、プログラムキーＰＫの表示位置において、タッチパネル部１１の少なくとも２点がタッチされた状態で２点の間隔を狭める操作が行われた場合、プログラムキーＰＫの表示領域のサイズを元のサイズに戻し、機能情報画像Ｃを非表示にする。これにより、ユーザーからすると、容易に、プログラム選択画面ＰＳを元の状態（登録済みのプログラムを呼び出せる状態）に戻すことができるので、利便性が良い。
【００８３】
また、本実施形態では、上記のように、液晶表示部１２は、プログラムキーＰＫの表示領域を拡大するとき、プログラムキーＰＫの表示領域外の表示領域の明るさを、プログラムキーＰＫの表示領域の明るさよりも暗くする。これにより、ユーザーからすると、登録内容を確認するためのモード（プログラムを編集するためのモード）になったか否かを容易に識別することができ、利便性が良い。
【００８４】
また、本実施形態では、上記のように、液晶表示部１２は、プログラムキーＰＫの表示領域を拡大した後に、プログラムキーＰＫの表示位置において、少なくとも２点がタッチされた状態で２点の間隔を狭める操作をタッチパネル部１１が受けた場合、プログラムキーＰＫの表示領域外の暗くした表示領域の明るさを元の明るさに戻す。これにより、ユーザーからすると、登録内容を確認するためのモード（プログラムを編集するためのモード）から通常モードに戻ったか否かを容易に識別することができ、利便性が良い。
【００８５】
また、本実施形態では、上記のように、液晶表示部１２は、プログラムキーＰＫの表示位置において、少なくとも２点がタッチされた状態で２点の間隔を広げる操作をタッチパネル部１１が受けた場合、タッチパネル部１１に対するタッチ位置である２点の間隔が広げられた方向に、プログラムキーＰＫの表示領域を拡大する。これにより、ユーザーの所望する方向にプログラムキーＰＫの表示領域を拡大することができる。
【００８６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８７】
１１  タッチパネル部
１２  液晶表示部（表示部）
１６  記憶部
１００  画像形成装置
１０１  操作パネル（表示入力装置）
Ｃ  機能情報画像（機能情報）
ＰＫ  プログラムキー
ＰＳ  プログラム選択画面
【図１】
2013222298.tif 000003
【図２】
2013222298.tif 000004
【図３】
2013222298.tif 000005
【図４】
2013222298.tif 000006
【図５】
2013222298.tif 000007
【図６】
2013222298.tif 000008
【図７】
2013222298.tif 000009
【図８】
2013222298.tif 000010
【図９】
2013222298.tif 000011
【図１０】
2013222298.tif 000012
【図１１】
2013222298.tif 000013
【図１２】
2013222298.tif 000014
【図１３】
2013222298.tif 000015
【図１４】
2013222298.tif 000016
【図１５】
2013222298.tif 000017
【図１６】
2013222298.tif 000018
【図１７】
2013222298.tif 000019